(57)【要約】【課題】本発明は、焦点調整中か否かに係わらず、画質が良好なライブビュー表示を行うとともに、精度の高い焦点調整を行うことが可能な撮像装置及び撮像方法を提供することを目的とする。【解決手段】ライブビュー表示用の測光領域の第１輝度値と焦点調整用の測光領域の第２輝度値を比較した結果に応じて上記第１輝度値を補正して、焦点調整のための画像データを取得するための輝度値を算出する焦点調整用輝度値演算部（１０９）と、上記焦点調整用輝度値演算部により算出された輝度値に基づいて露出を行って画像データを取得する撮像部(１０５、１０６等)と、上記撮像部により取得した画像データを基に焦点調整を行う焦点調整部（１００、１０２、１０３、１０４、１０８等）と、上記画像データを基にライブビュー表示を行う表示部(１１３)と、を備えた。【選択図】  図１
2014209671.tif 000002
【特許請求の範囲】
【請求項１】
焦点調整を行わないときは焦点調整用の測光領域とは異なるライブビュー表示用の測光領域の輝度値を基に算出した露出パラメータを基に画像データを生成してライブビュー表示を行うとともに、焦点調整を行うときもライブビュー表示を行う撮像装置において、
上記ライブビュー表示用の測光領域の第１輝度値と上記焦点調整用の測光領域の第２輝度値を比較した結果に応じて上記第１輝度値を補正して、焦点調整のための画像データを取得するための輝度値を算出する焦点調整用輝度値演算部と、
上記焦点調整用輝度値演算部により算出された輝度値に基づいて露出を行って画像データを取得する撮像部と、
上記撮像部により取得した画像データを基に焦点調整を行う焦点調整部と、
上記撮像部により取得した画像データを基にライブビュー表示を行う表示部と、
を備えたことを特徴とする撮像装置。
【請求項２】
上記焦点調整用輝度値演算部は、上記第１輝度値に補正値を加算して焦点調整のための画像データを取得するための輝度値を算出するものであることを特徴とする請求項１に記載の撮像装置。
【請求項３】
上記焦点調整用輝度値演算部は、上記第１輝度値と上記第２輝度値の輝度差が所定値以下の場合は上記補正値を零とし、上記輝度差が上記所定値より大きい場合は上記輝度差が大きい程上記補正値を大きくすることを特徴とする請求項２に記載の撮像装置。
【請求項４】
上記焦点調整用輝度値演算部は、上記第１輝度値と上記第２輝度値の輝度差が大きい程上記補正値を大きくすることを特徴とする請求項２に記載の撮像装置。
【請求項５】
焦点調整を行わないときは焦点調整用の測光領域とは異なるライブビュー表示用の測光領域の輝度値を基に算出した露出パラメータを基に画像データを生成してライブビュー表示を行うとともに、焦点調整を行うときもライブビュー表示を行う撮像方法において、
上記ライブビュー表示用の測光領域の第１輝度値と上記焦点調整用の測光領域の第２輝度値を比較した結果に応じて上記第１輝度値を補正して、焦点調整のための画像データを取得するための輝度値を算出するステップと、
上記算出された輝度値に基づいて露出を行って画像データを取得するステップと、
上記取得した画像データを基に焦点調整を行うステップと、
上記取得した画像データを基にライブビュー表示を行うステップと、
を有することを特徴とする撮像方法。
【発明の詳細な説明】
【技術分野】
【０００１】
本発明は、ライブビュー表示を行うとともに焦点調整を行う撮像装置及び撮像方法に関する。
【背景技術】
【０００２】
焦点調整を行わない通常のライブビュー表示時は被写体の所定の測光領域の輝度に基づいて算出した露出パラメータ（露出時間や絞り値など）を設定して露出を行い（以下このような露出を「ＬＶＡＥ」と称する。）、焦点調整を行うとともに、ライブビュー表示を行うときは、焦点調整用の測光領域を選択して焦点調整用の画像データを得るための露出（以下「ＡＦＡＥ」と称する。）を行うとともに、このＡＦＡＥに基づいて得られた画像データをライブビュー表示に併用するカメラが知られている。しかし、一般に焦点調整を行う場合の測光範囲は通常のライブビュー表示を行う場合の測光範囲よりも狭いことが多いため、同じ被写体領域に関する画像データであっても、焦点調整用の画像データと通常のライブビュー表示用の画像データとでは、単に画像データのレベルが異なるのみでなく、画像データの飽和により画像の明るさ分布の態様も異なってくることが多い。したがって、焦点調整を行う前後においてライブビュー表示の画質が変化し、ユーザーは違和感を感じることになる。
【０００３】
特許文献１においては、画像データのレベルが、焦点調整用と通常のライブビュー表示用において近づくように、焦点調整用の画像データを補正することによって上述したような課題を解決している。
【先行技術文献】
【特許文献】
【０００４】
【特許文献１】特開２０１０−６８０４６号公報
【発明の概要】
【発明が解決しようとする課題】
【０００５】
特許文献１において、レリーズ操作が行なわれる前後においては、同じ被写体部分であっても、撮像された画像データのレベルが異なる。例えば、ある被写体領域のＬＶＡＥを行って得られた画像データが飽和レベルに達していないにも係わらず、同じ被写体領域のＡＦＡＥを行って得られた画像データが飽和レベルに達しているような場合は、ＡＦＡＥを行って得られた画像データを基にＬＶＡＥを行って得られた画像データと同じ画質の画像データに補正することができない。したがって、このような場合は、画像データの補正によっても、依然として焦点調整を行う前後において、ライブビュー表示の画質が変化するのでユーザーは違和感を感じることになる。
【０００６】
本発明はこのような従来技術の問題に鑑み、焦点調整を行わないときは焦点調整用の測光領域とは異なるライブビュー表示用の測光領域の輝度値を基に算出した露出パラメータを基に画像データを生成してライブビュー表示を行うとともに、焦点調整中もライブビュー表示を行う撮像装置及び撮像方法において、焦点調整中か否かに係わらず、画質が良好なライブビュー表示を行うとともに、精度の高い焦点調整を行うことが可能な撮像装置及び撮像方法を提供することを目的とする。
【課題を解決するための手段】
【０００７】
上述した課題を解決するために、本発明の第１の態様の撮像装置は、焦点調整を行わないときは焦点調整用の測光領域とは異なるライブビュー表示用の測光領域の輝度値を基に算出した露出パラメータを基に画像データを生成してライブビュー表示を行うとともに、焦点調整を行うときもライブビュー表示を行う撮像装置において、上記ライブビュー表示用の測光領域の第１輝度値と上記焦点調整用の測光領域の第２輝度値を比較した結果に応じて上記第１輝度値を補正して、焦点調整のための画像データを取得するための輝度値を算出する焦点調整用輝度値演算部と、上記焦点調整用輝度値演算部により算出された輝度値に基づいて露出を行って画像データを取得する撮像部と、上記撮像部により取得した画像データを基に焦点調整を行う焦点調整部と、上記撮像部により取得した画像データを基にライブビュー表示を行う表示部と、を備えた。
【０００８】
また、本発明の第２の態様の撮像装置は、上記第１の態様の撮像装置において、上記焦点調整用輝度値演算部は、上記第１輝度値に補正値を加算して焦点調整のための画像データを取得するための輝度値を算出するものである。
【０００９】
また、本発明の第３の態様の撮像装置は、上記第２の態様の撮像装置において、上記焦点調整用輝度値演算部は、上記第１輝度値と上記第２輝度値の輝度差が所定値以下の場合は上記補正値を零とし、上記輝度差が上記所定値より大きい場合は上記輝度差が大きい程上記補正値を大きくする。
【００１０】
また、本発明の第４の態様の撮像装置は、上記第２の態様の撮像装置において、上記焦点調整用輝度値演算部は、上記第１輝度値と上記第２輝度値の輝度差が大きい程上記補正値を大きくする。
【００１１】
また、本発明の第５の態様の撮像方法は、焦点調整を行わないときは焦点調整用の測光領域とは異なるライブビュー表示用の測光領域の輝度値を基に算出した露出パラメータを基に画像データを生成してライブビュー表示を行うとともに、焦点調整を行うときもライブビュー表示を行う撮像方法において、上記ライブビュー表示用の測光領域の第１輝度値と上記焦点調整用の測光領域の第２輝度値を比較した結果に応じて上記第１輝度値を補正して、焦点調整のための画像データを取得するための輝度値を算出するステップと、上記算出された輝度値に基づいて露出を行って画像データを取得するステップと、  上記取得した画像データを基に焦点調整を行うステップと、上記取得した画像データを基にライブビュー表示を行うステップと、を有する。
【発明の効果】
【００１２】
本発明によれば、焦点調整中か否かに係わらず、画質が良好なライブビュー表示を行うとともに、精度の高い焦点調整を行うことが可能な撮像装置及び撮像方法を提供することができる。
【図面の簡単な説明】
【００１３】
【図１】実施形態１−３に係るカメラの主として電気的構成を示すブロック図である。
【図２】実施形態１−３に係るカメラ制御の動作の流れを示すフローチャートである。
【図３】実施形態１−３に係るカメラのＬＶＡＥ処理の流れを示すサブルーチンである。
【図４】実施形態１に係るカメラのＬＶＡＥ−ＡＦＡＥ露出差抑制処理の流れを示すサブルーチンである。
【図５】実施形態１−３に係るカメラのＡＦＡＥ処理の流れを示すサブルーチンである。
【図６】実施形態１−３に係る撮像領域全体の中の、フォーカス領域（ａ）、ＬＶＡＥ用測光領域（ｂ）、フォーカス領域を含む測光領域（ｃ）の一例を示す図である。
【図７】実施形態１に係る、焦点調整用測光領域の輝度とライブビュー表示用の測光領域の輝度との差（ｄｅｌｔａ＿ｂｖ）と、ライブビュー表示用の測光領域の輝度値を補正して焦点調整を行うための輝度値を算出する場合の補正値（ｂｖ＿ｒｅｖｉｓｅ）との関係を表すグラフである。
【図８】実施形態２に係る、焦点調整用測光領域の輝度とライブビュー表示用の測光領域の輝度との差（ｄｅｌｔａ＿ｂｖ）と、ライブビュー表示用の測光領域の輝度値を補正して焦点調整を行うための輝度値を算出する場合の補正値（ｂｖ＿ｒｅｖｉｓｅ）との関係を表すグラフである。
【図９】実施形態３に係る、焦点調整用測光領域の輝度とライブビュー表示用の測光領域の輝度との差（ｄｅｌｔａ＿ｂｖ）と、ライブビュー表示用の測光領域の輝度値を補正して焦点調整を行うための輝度値を算出する場合の補正値（ｂｖ＿ｒｅｖｉｓｅ）との関係を表すグラフである。
【発明を実施するための形態】
【００１４】
[実施形態１]
以下、本発明を適用したカメラを用いて好ましい実施形態１について説明する。
なお、以下の説明においては、通常の撮像装置と同様の動作及び制御技術については説明を省略、又は詳細な説明を省略する。
【００１５】
実施形態１に係わるカメラは、デジタルカメラであり、撮像素子１０５を有し、この撮像素子１０５によって被写体像を画像データに変換し、この変換された画像データに基づいて、被写体像を表示部にリアルタイムに表示（以下「ライブビュー表示」と称する。）する。撮影時には、撮影者はライブビュー表示を観察することにより、被写体の焦点を合わせるべき領域（以下、「フォーカス領域」と称する。）の選択や構図を設定する。操作部１１４に含まれるレリーズ釦の半押し（以下、「１ｓｔレリーズ」と称する。）がなされると、撮影レンズ１００のフォーカス調整を行い、さらにレリーズ釦の全押し（以下、「２ｎｄレリーズ」と称する。）がなされると撮影を行う。撮影時に得られた画像データは画像処理回路１１０によって所定の画像処理が施された後、メモリ１１１に記録される。
【００１６】
図１は、実施形態１に係わるカメラの主として電気的構成を示すブロック図である。実施形態１に係わるカメラは、大別すると、レンズユニットとカメラボディを有している。レンズユニットは、撮影レンズ１００、絞り１０１、それらを駆動するためのレンズ／絞り駆動モータ１０２、モータドライブ回路１０３、レンズ側ＣＰＵ１０４を有している。また、カメラボディは撮像素子１０５、撮像制御・信号処理回路１０６、カメラ側ＣＰＵ１０７、ＡＦ（Ａｕｔｏ  Ｆｏｃｕｓ）評価値算出回路１０８、ＡＥ（Ａｕｔｏ  Ｅｘｐｏｓｕｒｅ)評価値算出回路１０９、画像処理回路１１０、メモリ１１１、表示回路１１２、表示部１１３、操作部１１４、記録媒体１１５を有している。
【００１７】
撮影レンズ１００は被写体像を形成するための複数の光学レンズから構成され、単焦点レンズ又はズームレンズである。絞り１０１は撮影レンズ１００の射出瞳近傍の、撮影レンズ１００の光軸上に配置され、入射光量や焦点深度を調整する。それらはカメラ側ＣＰＵ１０７、レンズ側ＣＰＵ１０４、モータドライブ回路１０３、及びモータ１０２によって位置制御され、焦点調整、絞り調節を実現する。なお、レンズ側ＣＰＵ１０４は後述するカメラ側ＣＰＵ１０７から受信した制御コマンドを解釈し、レンズ１００、絞り１０１を制御する。
【００１８】
撮像素子１０５は撮影レンズ１００の光軸上に配置され、撮影レンズ１００によって形成された被写体像の撮像を行なう。この撮像素子１０５はフォトダイオードを含む画素が二次元マトリクス状に配置されており、受光量に応じた電荷を蓄積する。後段の撮像制御・信号処理回路１０６により撮像素子１０５の電荷蓄積制御や画像信号の読出し制御等が行なわれる。この撮像素子１０５から読み出された画像データは、カメラ側ＣＰＵ１０７、ＡＦ評価値算出回路１０８、ＡＥ評価値算出回路１０９、画像処理回路１１０、及びメモリ１１１に出力される。
【００１９】
ＡＦ評価値算出回路１０８は、撮像素子１０５から出力された画像データの高周波成分に基づいて、被写体のピント状態を検出する。このＡＦ評価値算出回路１０８は、焦点調整部を兼用する。ＡＥ評価値算出回路１０９は、ライブビュー画像データを取得時の測光領域の輝度値を補正して焦点調整用の画像データ取得時の輝度値を演算したり、ライブビュー表示時及び焦点調整時の露出が適正になるような露出時間(Ｔｖ)や絞り値(Ａｖ)を演算する。このＡＥ評価値算出回路１０９は、焦点調整用輝度値演算部を兼用する。画像処理回路１１０は、撮像素子１０５から読み出された画像データの同時化処理、階調変換処理、ホワイトバランス調整、エッジ処理等の各種画像処理を行なう。画像処理が施された画像データは、カメラボディーに着脱自在の記録媒体１１５に記録される。
【００２０】
カメラ側ＣＰＵ１０７に接続された操作部１１４をユーザが操作すると、カメラ側ＣＰＵ１０７によってＡＦ評価値算出回路１０８、ＡＥ評価値算出回路１０９、画像処理回路１１０、メモリ１１１が制御され、カメラとしての基本動作である焦点調整、露出制御、画像処理等が行なわれる。このとき、ＡＦやＡＥのようなレンズや絞りの制御を伴う動作の場合、カメラ側ＣＰＵ１０７はＡＦ評価値算出回路１０８及びＡＥ評価値算出回路１０９の出力値を基に、メモリ１１１に格納されている制御プログラムに従ってレンズ側ＣＰＵ１０４に制御コマンドを送信する。また、画像処理回路１１０で生成された表示用画像データによって表されるライブビュー画像を、表示回路１１２を介して表示部１１３に表示する。
【００２１】
つぎに、上述した電気的構成を用いた本発明の具体的な動作の流れを、図２−図５のフローチャートを参照して説明する。なお、以下の動作説明においては、特に断りのない限り各動作はカメラ側ＣＰＵ１０７が行う。
図２は実施形態１に係るカメラ制御の動作の流れを示すフローチャートである。まずステップＳ２１において、焦点調整を行わない通常のライブビュー表示用の測光領域の輝度値であるＬＶＡＥ用Ｂｖ（Ｂｒｉｇｈｔｎｅｓｓ  ｖａｌｕｅ）（変数名：ｌｖａｅ＿ｂｖ）を取得する。このｌｖａｅ＿ｂｖは、ＡＥ評価値算出回路１０９において、撮像素子１０５により撮像して得られた画像データのうち、ＬＶＡＥ測光領域の画像データの平均的なレベルを基に、いわゆるアペックス演算により算出される。このとき、図６（ａ）のようなシーンを想定すると、ＬＶＡＥ測光領域は図６（ｂ）で示すように広範囲にわたる。図６（ｂ）のシーンではＬＶＡＥ測光領域の大部分が高輝度になるため、ｌｖａｅ＿ｂｖは大きな値になる。このｌｖａｅ＿ｂｖを基に、ステップＳ２２にてＬＶＡＥ処理を実施する。このＬＶＡＥ処理はｌｖａｅ＿ｂｖを基に露出条件を算出し設定することで、ライブビューとして適切な露出制御を行う。
【００２２】
つぎに、ステップＳ２２のＬＶＡＥ処理について、図３のサブルーチンを参照しながら詳細に説明する。このＬＶ＿ＡＥ処理は、ＡＥ評価値算出回路１０９とカメラ側ＣＰＵ１０７との連携動作により実行される。ステップＳ３１は、ステップＳ２１で求めたｌｖａｅ＿ｂｖを基に、不図示のプログラム線図から導かれるＬＶＡＥ用Ａｖ、Ｔｖ、Ｓｖ（それぞれ変数名：ｌｖａｅ＿ａｖ、ｌｖａｅ＿ｔｖ、ｌｖａｅ＿ｓｖ）を決定する。ステップＳ３２では、絞り１０１がｌｖａｅ＿ａｖとなる絞り制御命令をカメラ側ＣＰＵ１０７からレンズ側ＣＰＵ１０４に対して送信する。同様に、ステップＳ３３では撮像素子１０５の露光時間、感度がそれぞれｌｖａｅ＿ｔｖ、ｌｖａｅ＿ｓｖとなる撮像素子制御命令をカメラ側ＣＰＵ１０７から撮像制御・信号処理回路１０６に対して送信する。これらによりＬＶＡＥに適した露出を行う。ＬＶＡＥ処理が終了すると図３のサブルーチンからリターンする。
【００２３】
つぎに、ステップＳ２３にて１ｓｔレリーズ操作が行なわれたか否かの判定を行う。１ｓｔレリーズ操作が行なわれたものと判定された場合には、つぎにステップＳ２４の１ｓｔレリーズ操作後の処理に移行する。
【００２４】
一般にＡＦＡＥ用の測光領域はＬＶＡＥ用の測光領域とは異なるため、ＡＦＡＥ用の輝度値であるＢｖ（変数名：ａｆａｅ＿ｂｖ）を基に、ライブビュー表示を行うためのＬＶＡＥ処理を実行すると、ＡＦ処理時のライブビュー表示の画質が劣化する。特に、１ｓｔレリーズ操作が行なわれる前後において、ライブビュー表示の画質が変化するため、ユーザーは違和感を感じることになる。そこで、実施形態１においては、１ｓｔレリーズ操作が行なわれたものと判定された場合には、つぎにステップＳ２４において、以下に述べるようなＬＶＡＥ−ＡＦＡＥ露出差抑制処理を行う。
【００２５】
つぎに、図４を参照しながら、ＬＶＡＥ−ＡＦＡＥ露出差抑制処理の流れを詳細に説明する。なお、このＬＶＡＥ−ＡＦＡＥ露出差抑制処理は、輝度値補正部であるＡＥ評価値算出回路１０９とカメラ側ＣＰＵ１０７との連携動作により実行される。ステップＳ４１にて、フォーカス領域近傍のＡＦ用測光領域の輝度値であるＢｖ（ａｆａｒｅａ＿ｂｖ）を取得する。つぎに、ステップＳ４２にてａｆａｒｅａ＿ｂｖとｌｖａｅ＿ｂｖの差分（ａｆａｒｅａ＿ｂｖ−ｌｖａｅ＿ｂｖ）を算出し、これをｄｅｌｔａ＿ｂｖとする。つぎにステップＳ４３において、ｔｒａｃｋ＿ｌｉｍｉｔ＿ｌｏｗ≦ｄｅｌｔａ＿ｂｖ ≦ｔｒａｃｋ＿ｌｉｍｉｔ＿ｈｉか否かを判定する。すなわち、ｄｅｌｔａ＿ｂｖが追従領域内（上限変数：ｔｒａｃｋ＿ｌｉｍｉｔ＿ｈｉ、下限変数：ｔｒａｃｋ＿ｌｉｍｉｔ＿ｌｏｗ）か否かを判定する。
【００２６】
この追従領域とは、ＡＦＡＥ用の輝度値であるＢｖ（変数名：ａｆａｅ＿ｂｖ）として、ｌｖａｅ＿ｂｖを用いてもＡＦ精度を確保することが可能なｄｅｌｔａ＿ｂｖの値の範囲である。ｄｅｌｔａ＿ｂｖがこの追従領域内であれば、ステップＳ４４にてＡＦＡＥ用Ｂｖであるａｆａｅ＿ｂｖをｌｖａｅ＿ｂｖに置き換えた後に、ＬＶＡＥ−ＡＦＡＥ露出差抑制処理のサブルーチンからリターンする。
【００２７】
即ち、ｄｅｌｔａ＿ｂｖが追従領域内の場合は、ＬＶＡＥ−ＡＦＡＥ露出差抑制処理後のＡＦＡＥはＬＶＡＥと同じになる。したがって、ｄｅｌｔａ＿ｂｖが追従領域内では、１ｓｔレリーズ操作が行なわれる前後において、ライブビュー表示の画質が変化することがない。また、ＡＦ精度も保証される。
【００２８】
一方で、ｄｅｌｔａ＿ｂｖが追従領域外の場合、ａｆａｅ＿ｂｖ＝ｌｖａｅ＿ｂｖとしたのではＡＦ精度を確保できなくなる可能性がある。従って、ｄｅｌｔａ＿ｂｖが追従領域外になった場合、ａｆａｅ＿ｂｖはｌｖａｅ＿ｂｖに対し追従領域超過分をＢｖ補正値（変数名：ｂｖ＿ｒｅｖｉｓｅ）として加算したものを用いる。まず、ステップＳ４５において、ｔｒａｃｋ＿ｌｉｍｉｔ＿ｌｏｗ＞ｄｅｌｔａ＿ｂｖか否かを判定する。ｔｒａｃｋ＿ｌｉｍｉｔ＿ｌｏｗ＞ｄｅｌｔａ＿ｂｖの場合は、つぎに、ステップＳ４６において、ＢＶ補正値をｂｖ＿ｒｅｖｉｓｅとするとき、ｂｖ＿ｒｅｖｉｓｅ＝ｄｅｌｔａ＿ｂｖ−ｔｒａｃｋ＿ｌｉｍｉｔ＿ｌｏｗとする。また、ステップＳ４５において、ｔｒａｃｋ＿ｌｉｍｉｔ＿ｌｏｗ＞ｄｅｌｔａ＿ｂｖではないと判定した場合は、ステップＳ４７において、ｂｖ＿ｒｅｖｉｓｅ＝ｄｅｌｔａ＿ｂｖ−ｔｒａｃｋ＿ｌｉｍｉｔ＿ｈｉとする。ステップＳ４６、又はステップＳ４７の処理が終了すると、つぎにステップＳ４８において、ＬＶＡＥ用ＢＶに、ステップＳ４６、又はステップＳ４７において算出したＢＶ補正値を加算してａｆａｅ＿ｂｖを得る。ステップＳ４８において、ａｆａｅ＿ｂｖ＝ｌｖａｅ＿ｂｖ＋ｂｖ＿ｒｅｖｉｓｅの演算を行うと、ＬＶＡＥ−ＡＦＡＥ露出差抑制処理のサブルーチンからリターンする。
【００２９】
本実施形態におけるＬＶＡＥ−ＡＦＡＥ露出差抑制処理（焦点調整用輝度値演算部の処理）を要約すると、  ライブビュー表示用の測光領域の第１輝度値（ｌｖａｅ＿ｂｖ）に補正値（ｂｖ＿ｒｅｖｉｓｅ）を加算して焦点調整のための画像データを取得するための輝度値（ａｆａｅ＿ｂｖ）を算出するものであり、上記第１輝度値と焦点調整用の測光領域の第２輝度値の輝度差が所定値以下の場合は上記補正値を零とし、上記輝度差が上記所定値より大きい場合は上記輝度差が大きい程上記補正値を大きくする。
【００３０】
図７は、以上述べたｄｅｌｔａ＿ｂｖとｂｖ＿ｒｅｖｉｓｅとの関係を示したグラフである。
【００３１】
このように、本実施形態によれば、焦点調整中か否かに係わらず、画質が良好なライブビュー表示を行うとともに、精度の高い焦点調整を行うことが可能な撮像装置及び撮像方法を提供することができる。
【００３２】
ＬＶＡＥ−ＡＦＡＥ露出差抑制処理が終わると、つぎに図２のステップＳ２５のＡＦＡＥ処理を行う。つぎに、このＡＦＡＥ処理の詳細について、図５を参照しながら説明する。まず、ステップＳ５１において、ステップＳ２４で求めたＡＦＡＥ用Ｂｖ（変数名：ａｆａｅ＿ｂｖ）を基に、ＬＶＡＥ、ＡＦＡＥに共通のプログラム線図から導かれるＡＦＡＥ用Ａｖ、Ｔｖ、Ｓｖ（それぞれ変数名：ａｆａｅ＿ａｖ、ａｆａｅ＿ｔｖ、ａｆａｅ＿ｓｖ）を決定する。以上の処理はＡＥ評価値算出回路１０９とカメラ側ＣＰＵ１０７により実行される。つぎに、ステップＳ５２において、カメラ側ＣＰＵ１０７がａｆａｅ＿ａｖに対応した絞り制御命令をレンズ側ＣＰＵ１０４に対して送信する。つぎに、ステップＳ５３において、カメラ側ＣＰＵ１０７がａｆａｅ＿ｔｖ、ａｆａｅ＿ｓｖに対応した撮像素子制御命令を撮像制御・信号処理回路１０６に対して送信する。
【００３３】
ＡＦＡＥ処理が終わると、つぎに図２のステップＳ２６において、２ｎｄレリーズ操作が行なわれたか否かを判定する。２ｎｄレリーズ操作が行われていないときは、ステップＳ２３に戻り、以上述べた処理を繰り返し実行する。ステップＳ２６において２ｎｄレリーズ操作が行なわれたものと判定したときは、つぎにステップＳ２７において、上述したＬＶＡＥ処理において算出した露出パラメータＡｖ、Ｔｖ、Ｓｖに基づいて露出制御を行う。この露出制御は、カメラ側ＣＰＵ１０７、撮像制御・信号処理回路１０６、絞り１０１、撮像素子１０５等の連携動作のもとに実行される。露出制御が終了すると、つぎに撮像素子１０５から画像データを読み出して、撮像制御・信号処理回路１０６、画像処理回路１１０にて所定の画像処理を行う。つぎに、ステップＳ３０において、画像データを記録媒体１１５に記録する。
【００３４】
[実施形態２]
実施形態２は、ＬＶＡＥ−ＡＦＡＥ露出差抑制処理のみが実施形態１と異なる。その他の構成や処理は実施形態１と同様であるので、以下の説明においてはその異なるところのみを説明する。
図８に、本実施形態における、焦点調整用測光領域の輝度とライブビュー表示用の測光領域の輝度との差（ｄｅｌｔａ＿ｂｖ）と、ライブビュー表示用の測光領域の輝度値を補正して焦点調整を行うための輝度値を算出する場合の補正値（ｂｖ＿ｒｅｖｉｓｅ）との関係をに示す。
【００３５】
本実施形態においては、ｄｅｌｔａ＿ｂｖが、下限値ｔｒａｃｋ＿ｌｉｍｉｔ＿ｌｏｗから上限値ｔｒａｃｋ＿ｌｉｍｉｔ＿ｈｉの範囲内にあるときは、ｄｅｌｔａ＿ｂｖの絶対値が大きくなる程、ｂｖ＿ｒｅｖｉｓｅが大きくなるようにする。すなわち、ｄｅｌｔａ＿ｂｖの絶対値が大きくなる程、ｌｖａｅ＿ｂｖとａｆａｅ＿ｂｖとの差が大きくなるように、ｌｖａｅ＿ｂｖを補正してａｆａｅ＿ｂｖを算出する。一方、ｄｅｌｔａ＿ｂｖが、下限値ｔｒａｃｋ＿ｌｉｍｉｔ＿ｌｏｗから上限値ｔｒａｃｋ＿ｌｉｍｉｔ＿ｈｉの範囲外にあるときは、図８に示すように横軸のｄｅｌｔａ＿ｂｖに対する縦軸のｂｖ＿ｒｅｖｉｓｅの直線の傾きが４５度になるようにする。これは、ｂｖ＿ｒｅｖｉｓｅがｄｅｌｔａ＿ｂｖから一定値を差し引いた値になることを意味する。以上の処理は、輝度値補正部であるＡＥ評価値算出回路１０９とカメラ側ＣＰＵ１０７との連携動作により実行される。
【００３６】
本実施形態においては、ｄｅｌｔａ＿ｂｖが、下限値ｔｒａｃｋ＿ｌｉｍｉｔ＿ｌｏｗから上限値ｔｒａｃｋ＿ｌｉｍｉｔ＿ｈｉの範囲内にあるときは、ｄｅｌｔａ＿ｂｖの絶対値が大きくなる程、ｂｖ＿ｒｅｖｉｓｅが大きくなるようにする。したがって、実施形態１の場合と比べて、焦点調整の精度とライブビュー表示の画質とのバランスをより微妙に調整することが可能となる。
【００３７】
[実施形態３]
実施形態３は、ＬＶＡＥ−ＡＦＡＥ露出差抑制処理のみが実施形態１と異なる。その他の構成や処理は実施形態１と同様であるので、以下の説明においてはその異なるところのみを説明する。
【００３８】
図９に、本実施形態における、焦点調整用測光領域の輝度とライブビュー表示用の測光領域の輝度との差（ｄｅｌｔａ＿ｂｖ）と、ライブビュー表示用の測光領域の輝度値を補正して焦点調整を行うための輝度値を算出する場合の補正値（ｂｖ＿ｒｅｖｉｓｅ）との関係を示す。
【００３９】
本実施形態においては、ｄｅｌｔａ＿ｂｖが、下限値ｔｒａｃｋ＿ｌｉｍｉｔ＿ｌｏｗから上限値ｔｒａｃｋ＿ｌｉｍｉｔ＿ｈｉの範囲内にあるときは、ｄｅｌｔａ＿ｂｖの絶対値が大きくなる程、ｌｖａｅ＿ｂｖとａｆａｅ＿ｂｖとの差が大きくなるように、ｌｖａｅ＿ｂｖを補正してａｆａｅ＿ｂｖを算出する。一方、ｄｅｌｔａ＿ｂｖが、下限値ｔｒａｃｋ＿ｌｉｍｉｔ＿ｌｏｗから上限値ｔｒａｃｋ＿ｌｉｍｉｔ＿ｈｉの範囲外にあるときは、ｄｅｌｔａ＿ｂｖとｂｖ＿ｒｅｖｉｓｅとの関係を表す直線の傾きが、ｄｅｌｔａ＿ｂｖがｔｒａｃｋ＿ｌｉｍｉｔ＿ｌｏｗからｔｒａｃｋ＿ｌｉｍｉｔ＿ｈｉの範囲内にあるときの直線の傾きよりもやや大きくなるようにする。これは、本実施形態においては、ｄｅｌｔａ＿ｂｖの絶対値が大きくなる程、つねに、ｌｖａｅ＿ｂｖとａｆａｅ＿ｂｖとの差が大きくなるように、ｌｖａｅ＿ｂｖを補正してａｆａｅ＿ｂｖを算出することを意味する。以上の処理は、輝度値補正部であるＡＥ評価値算出回路１０９とカメラ側ＣＰＵ１０７との連携動作により実行される。
【００４０】
本実施形態におけるＬＶＡＥ−ＡＦＡＥ露出差抑制処理（焦点調整用輝度値演算部の処理）を要約すると、焦点調整用輝度値演算部は、ライブビュー表示用の測光領域の第１輝度値（ｌｖａｅ＿ｂｖ）に補正値（ｂｖ＿ｒｅｖｉｓｅ）を加算して焦点調整のための画像データを取得するための輝度値（ａｆａｅ＿ｂｖ）を算出するものであり、上記第１輝度値（ａｆａｅ＿ｂｖ）と焦点調整用の測光領域の第２輝度値（ａｆａｒｅａ＿ｂｖ）の輝度差が大きい程、上記補正値が大きくなるようにする。
【００４１】
本実施形態によれば、実施形態１、２に比べて、焦点調整の精度とライブビュー表示の画質とのバランスをより微妙に調整することが可能となる。
【００４２】
本発明は上述した実施形態に限定されるものではなく、実施段階ではその要旨を逸脱しない範囲で構成要素を変形して具体化することもできる。例えば、実施形態１においてはレリーズ操作前にＬＶＡＥに基づいて得られた画像データを基にライブビュー表示を行い、レリーズ操作後にＡＦＡＥに基づいて得られた画像データを基に焦点調整を行うとともにライブビュー表示を行ったが、レリーズ操作は必ずしも必須のものではない。すなわち、ライブビュー表示を行っている際に、ＡＦ制御を行った場合も本発明の範囲に含まれる。また、上記実施形態に開示されている複数の構成要素の適宜な組み合わせにより、種々の発明を形成することもできる。さらに異なる実施形態にわたる構成要素を適宜組み合わせてもよい。このように、発明の趣旨を逸脱しない範囲において種々の変形や応用が可能である。
【符号の説明】
【００４３】
１００…撮影レンズ
１０１…絞り
１０２…レンズ／絞り駆動モータ
１０３…モータドライブ回路
１０４…レンズ側ＣＰＵ
１０５…撮像素子
１０６…撮像制御・信号処理回路
１０７…カメラ側ＣＰＵ
１０８…ＡＦ評価値算出回路
１０９…ＡＥ評価値算出回路
１１０…画像処理回路
１１１…メモリ
１１２…表示回路
１１３…表示部
１１４…操作部
１１５…記録媒体
【図１】
2014209671.tif 000003
【図２】
2014209671.tif 000004
【図３】
2014209671.tif 000005
【図４】
2014209671.tif 000006
【図５】
2014209671.tif 000007
【図６】
2014209671.tif 000008
【図７】
2014209671.tif 000009
【図８】
2014209671.tif 000010
【図９】
2014209671.tif 000011